(57)【要約】【課題】ノズルへの装着時における操作性及び透析液循環路の汚染を防止でき、以ってカプラの無菌状態を効果的に維持することができる透析用カプラを提供すること。【解決手段】カプラ固定用のくびれ部を有するノズルとホースとの間を接続する透析用カプラであって、所定径の貫通孔を有し、一端部に貫通孔の円心方向に可動自在であるとともにその端部には円心方向に向かって突出した突起を有する押圧体を備え、他端部にはホースが取り付けられるカプラ本体と、ノズルの外径に相応する内径を有する貫通孔を備え、且つノズルと水密に当接される部位を備え、カプラ本体に水密に固定される弾性部材と、カプラ本体の押圧片が設けられた一端部の外周を覆うように、カプラ本体の外周面に沿って摺動可能に取り付けられたスライダーと、を備え、弾性部材はカプラ本体の押圧片が設けられた一端部の内周側に挿入されている。【選択図】図２
2007151628.tif 000002
【特許請求の範囲】
【請求項１】
端部から所定位置にカプラ固定用のくびれ部が設けられた透析液給排水用ノズルとホースとの間を接続するための透析用カプラであって、
所定径の貫通孔を有し、一端部に前記貫通孔の円心方向に対して可動自在であるとともにその端部には円心方向に向かって突出した突起を有する押圧体を備え、他端部には前記ホースが取り付けられるカプラ本体と、
前記ノズルの外径に相応する内径を有する貫通孔を備え、且つ前記ノズルと水密に当接される部位を備え、前記カプラ本体に水密に固定される弾性部材と、
前記カプラ本体の押圧体が設けられた一端部の外周を覆うように、前記カプラ本体の外周面に沿って摺動可能に取り付けられたスライダーと、
を備え、
前記弾性部材は前記カプラ本体の押圧体が設けられた一端部の内周側に挿入されており、前記透析液給排水用ノズルが前記弾性部材内に装着された後、前記スライダーを前記カプラ本体の押圧体が設けられた方向に摺動させて、前記押圧体が前記スライダーにより押圧されることにより、前記弾性部材の前記ノズルのくびれ部に対応する位置を円心方向に突出させて前記ノズルを把持するようにしたことを特徴とする透析用カプラ。
【請求項２】
前記カプラ本体の一端部から所定距離離れた外周部には、その外径が拡径されたリング状の係止突起が設けられており、該係止突起と前記スライダーの内面の一部との間には、前記スライダーを前記カプラ本体の押圧体が設けられた方向に付勢するバネ体が設けられていることを特徴とする請求項１に記載の透析用カプラ。
【請求項３】
前記弾性部材の貫通孔の一端部が前記ノズルの外径と実質的に等しいか僅かに大きな内径を備え、前記貫通孔の中間部には前記透析液給排水用ノズルの端部に当接される段部が設けられ、該段部が前記ノズルと水密に固定されることを特徴とする請求項１に記載の透析用カプラ。
【請求項４】
前記スライダーの前記カプラ本体の押圧体が設けられた方向の端部には、該端部から前記スライダーの軸心方向に向かって突出するとともにその端部が円周方向に向かって湾曲した係止爪が少なくとも２つ設けられていることを特徴とする請求項１〜３のいずれかに記載の透析用カプラ。
【請求項５】
前記係止爪を備える一対の透析用カプラを、該一対の透析用カプラの前記弾性部材の一端部同士を当接させるとともに前記係止爪同士を噛合させることにより、前記一対の透析用カプラが連結可能であることを特徴とする請求項４に記載の透析用カプラ。
【請求項６】
前記弾性部材の前記ノズルが挿入される一端部にはその径が所定長さ拡径されたフランジが一体に形成されていることを特徴とする請求項４又は５に記載の透析用カプラ。
【発明の詳細な説明】
【技術分野】
【０００１】
本発明は透析器（ダイアライザー）に透析液を供給するための透析液供給用配管に取り付けられる透析用カプラに関し、特にこのカプラの操作性を低下させることなく、カプラ内の汚染を防止した透析用カプラに関するものである。
【背景技術】
【０００２】
人工透析治療においては、血液内の水分、電解質あるいは老廃物などを除去するために、透析器内を通過させることでこれらの老廃物等を除去している。この透析器内には透析液が循環されており、この透析液は透析器の側面に設けられた透析液循環用の給排水ノズルを介して透析液作成供給装置に接続されることで循環されている。そして、この透析液作成供給装置は所定長の配管とその端部に取り付けられたカプラによって透析器に取り付けられている。
【０００３】
この透析器のノズルに取り付けられるカプラは、その用途上、無菌状態を維持する必要がある。そして、この課題を解決する方法は特許文献において既に種々紹介されている（例えば特許文献１、２）。
【０００４】
図７は下記特許文献１に開示された透析器接続用カプラーが透析液用プラグに連結された状態を示す断面図である。
下記特許文献１に開示された透析器接続用カプラー１０１は、図７に示すように、透析器の透析液用プラグ１０５が嵌挿可能な連結管１０２と、連結管１０２の外周面の軸方向に摺動可能なスリーブ１０３と、連結管基端部から直交して連設されたプラグ１０８とから構成されている。連結管１０２と透析液用プラグ１０５の密着部位は、連結管内腔の中央付近から基端部方向に向かって縮径円筒状に形成された連結管内壁の内壁段部１０７と、透析液用プラグ先端１０６とが当接する部位に設けられている。該内壁段部１０７には、透析液用プラグ先端１０６と連結管内壁を圧着により密着させる環状のシール材１１０が取着されている。該シール材１１０は、透析液用プラグ先端１０６及びそれに隣接する連結管内壁の間を補充するように設けられ、両者間に透析液が侵入する隙間が生じることのない形状となっている。例えば、透析液用プラグの内周面１１１及び、密着部位より基端側の連結管内壁とが連続したフラットな面を形成するように補充されて、連結管内腔に露出する面を有したシール材であるのが好ましい。
【０００５】
上記構成を備えることにより、下記特許文献１に開示された透析器接続用カプラー１０１によれば、連結管１０２内壁と透析液用プラグ先端１０６の密着部位を透析液用プラグ先端１０６が連結管内壁に付き当たる部位に設け、連結管内壁と透析液用プラグとの間に透析液が滞留する隙間ができない形状としたことで、懸念されていた透析液の滞留箇所での、細菌や真菌等の菌類の繁殖、及び、コンタミネーションが生じる事なく、患者が各種の細菌の感染症に感染することを防止することができる。また本発明は、透析液用プラグの連結管への挟持が確実で、透析液用プラグへの装着及び脱着が容易なボールベアリングによる方法を採用しつつ、上述の改良がなされたものであるので、操作性を損なうことがない。
【０００６】
図８は下記特許文献２に開示された透析用カプラーであって、図８Ａは一対のカプラーを示す正面図、図８Ｂは一対のカプラーを連結具により連結した状態を示す正面図である。
下記特許文献２に開示された透析用カプラー１２１、１２２は、図８に示すように、その材質は、例えばシリコンゴムや各種エラストマーが挙げられるが、特に透析液と物理的、化学的に作用しないシリコンゴムが好ましい。符号１２３は、連結具１３１、１３２が摺動かつ回転可能な部位であり、符号１２４は血液浄化器に設けたノズルを嵌合することのできる内腔である。符号１２５、１２６は、本発明の特徴点の一つである連結具により密着接合可能な軸方向垂直な平滑面である。この軸方向垂直な平滑面１２５および１２６は、連結具の該平滑面側への摺動により液密状態を形成することのできる弾性、平滑性および面積が有れば良い。ゴム状弾性のカプラー１２１、１２２は軸方向垂直な平滑面１２５および１２６を含めて一体的に成形されたものが好ましい。また、符号１２７は、カプラーの血液浄化器側あるいは連結ホース側から、部位１２３に摺動かつ回転可能に挿入された連結具１３１、１３２が抜け落ちるのを防止する連結具のストッパー部位である。
【０００７】
一方のカプラー連結具１３１は、他方のカプラー連結具１３２の突起部１３７を嵌合できる凹部１４０を管状部材の外表面１３４上に一体的に形成したものである。また、前記一方のカプラー連結具１３１の内腔には、他方の連結部材１３２の円筒状部材の前面壁部１４３と共に軸方向垂直な平滑面１２５、１２６を密着状態で固定・保持でき、かつ該平滑面を所定の位置で密着させることができる壁部が形成されている。また、他方の連結具１３２は、上述のように一方のカプラー連結具１３１の凹部１４０と嵌合できる突起部１３７を有する管状部材である。
【０００８】
上記構成を備えることにより、カプラーを液密状態で連結するためにＯリングやボールベアリングなどの部品の装着を必要としないのでその内部構造が簡単で、また、洗浄の際に連結棒も必要としないので、細菌、エンドトキシンの混入や細菌繁殖の恐れが低減され、さらには簡易かつ確実に液密状態で連結可能な透析用カプラーが提供できる。
【０００９】
【特許文献１】特開平１０−２４８９２４号公報（図１、段落［０００９］、［００２７］）
【特許文献２】特開２００２−６５８４６号公報（図１、図２、段落［００１８］〜［００２０］、［００２３］）
【発明の開示】
【発明が解決しようとする課題】
【００１０】
上記特許文献１に開示された透析器接続用カプラーによれば、透析器の透析液給排水用ノズルに簡単な方法で取り付けでき、また、ノズル当接部においてもコンタミネーション等を防ぐことができる。しかしながら、この従来技術においては、ノズルへの取り付け等は容易である反面、依然としてノズル当接部にＯリング等のシール材を用いているために部材同士の間に若干の隙間が生じてしまうことは避けられず、この隙間でコンタミネーション等が発生してしまうという問題点が解消されていない。加えて、この透析器接続用カプラーを洗浄する際には、一般的に一対の上記カプラー同士をノズルと同一の接続口構造を備える連結棒により連結して、内部に洗浄液を循環させることで洗浄が行われるが、カプラーのノズルの接続口近傍の外周縁部に当接する位置は、この洗浄方法では洗浄液が供給されないために洗浄液のデッドスペースとなる。このスペースはノズル挿入後には透析液が接触することがないので例え細菌類が繁殖していたとしても透析液に直接混入されることはあまりないが、カプラーのノズル挿入時においてこのデッドスペースとなっている部分がノズルの先端部等に接触し、この際にノズル先端部に細菌等が付着する恐れがある。
【００１１】
また、上記特許文献２に開示された透析用カプラーによれば、洗浄時にはノズル先端部近傍の装着部位の全てが洗浄液の循環路内に位置するために上記従来技術において問題となっている洗浄時のデッドスペースが生じることなく、カプラーを無菌状態に維持しやすいという利点を持っている。しかしながら、本従来技術においては、ノズルを挿入状態で液密に固定するために、その内径はノズルより若干小さくなっているとともに、ノズルのくびれ部に接する位置はさらに縮径されているので、このカプラーをノズルに装着する際には、ノズルにカプラーの貫通孔を摩擦力に抗して捩じ込む必要があり、操作性が悪く上記特許文献１に開示されたものに比べて使い勝手が悪いという問題点を有している。
【００１２】
本発明者らは上記問題点に鑑み、操作性が良く、かつノズル挿入時における透析液の流路内の汚染を効果的に防止できる構造について種々検討した結果、ノズルに装着される部分をノズルの外径と同じか僅かに大きな内径を備える一体構造の円筒体からなる弾性部材とし、この弾性部材のノズルのくびれ部に位置する部分を外周部に設けた押圧片により押圧変形させることで固定するようになせば、洗浄時のデッドスペースが発生することなく、以ってノズルの汚染を防止できるとともにノズルへのカプラ挿入時においても容易に取付けが可能な透析用カプラを提供できることを見出し、本発明に至ったものである。
【００１３】
すなわち、本発明の目的は、ノズルへの装着時における操作性を向上できるとともに透析液循環路の汚染を防止でき、以ってカプラの無菌状態を効果的に維持することができる透析用カプラを提供することである。
【００１４】
また、本発明の他の目的は、カプラ内洗浄時において連結棒等の部材を用いることなく、かつノズル先端部近傍の外周部に当接する部分をも洗浄することが可能な透析用カプラを提供することである。
【課題を解決するための手段】
【００１５】
上記目的を達成するために、本願の請求項１に記載の透析用カプラの発明は、端部から所定位置にカプラ固定用のくびれ部が設けられた透析液給排水用ノズルとホースとの間を接続するための透析用カプラであって、
所定径の貫通孔を有し、一端部に前記貫通孔の円心方向に対して可動自在であるとともにその端部には円心方向に向かって突出した突起を有する押圧体を備え、他端部には前記ホースが取り付けられるカプラ本体と、
前記ノズルの外径に相応する内径を有する貫通孔を備え、且つ前記ノズルと水密に当接される部位を備え、前記カプラ本体に水密に固定される弾性部材と、
前記カプラ本体の押圧体が設けられた一端部の外周を覆うように、前記カプラ本体の外周面に沿って摺動可能に取り付けられたスライダーと、
を備え、
前記弾性部材は前記カプラ本体の押圧体が設けられた一端部の内周側に挿入されており、前記透析液給排水用ノズルが前記弾性部材内に装着された後、前記スライダーを前記カプラ本体の押圧体が設けられた方向に摺動させて、前記押圧体が前記スライダーにより押圧されることにより、前記弾性部材の前記ノズルのくびれ部に対応する位置を円心方向に突出させて前記ノズルを把持するようにしたことを特徴とする。
【００１６】
また、本願の請求項２に記載の発明は、請求項１に記載の透析用カプラにおいて、前記カプラ本体の一端部から所定距離離れた外周部には、その外径が拡径されたリング状の係止突起が設けられており、該係止突起と前記スライダーの内面の一部との間には、前記スライダーを前記カプラ本体の押圧体が設けられた方向に付勢するバネ体が設けられていることを特徴とする。
【００１７】
また、本願の請求項３に記載の発明は、請求項１に記載の透析用カプラにおいて、前記弾性部材の貫通孔の一端部が前記ノズルの外径と実質的に等しいか僅かに大きな内径を備え、前記貫通孔の中間部には前記透析液給排水用ノズルの端部に当接される段部が設けられ、該段部が前記ノズルと水密に固定されることを特徴とする。
【００１８】
また、本願の請求項４に記載の発明は、請求項１〜３のいずれかに記載の透析用カプラにおいて、前記スライダーの前記カプラ本体の押圧体が設けられた方向の端部には、該端部から前記スライダーの軸心方向に向かって突出するとともにその端部が円周方向に向かって湾曲した係止爪が少なくとも２つ設けられていることを特徴とする。
【００１９】
また、本願の請求項５に記載の発明は、請求項４に記載の透析用カプラにおいて、前記係止爪を備える一対の透析用カプラを、該一対の透析用カプラの前記弾性部材の一端部同士を当接させるとともに前記係止爪同士を噛合させることにより、前記一対の透析用カプラが連結可能であることを特徴とする。
【００２０】
また、本願の請求項６に記載の発明は、請求項４又は５に記載の透析用カプラにおいて、前記弾性部材の前記ノズルが挿入される一端部にはその径が所定長さ拡径されたフランジが一体に形成されていることを特徴とする。
【発明の効果】
【００２１】
本発明は上記構成を備えることにより、以下に示すような優れた効果を奏するものである。すなわち、本願の発明によれば、ノズルに当接する部材を弾性部材のみとすることで各部品同士の接触部に生じる僅かな隙間に細菌の繁殖が生じるという従来の問題点を解消することができ、また、押圧体を円心方向に可動して弾性部材を押圧し、この押圧によりノズルのくびれ部を固定することでノズルの固定を達成するので、液漏れ等が発生することなく、さらにはノズルは一体形成された弾性部材にのみ接触しているので、洗浄時にコンタミネーションが発生し難く、以ってカプラ内での細菌の繁殖を効果的に抑制できるようになる。
【００２２】
また、スライダーをバネ体を用いて押圧体が設けられた方向に押圧するようになせば、スライダーによる押圧体の押圧をより強固に行うことができるようになるとともにカプラの抜け等を効果的に防止できるようになる。
【００２３】
また、弾性部材の内径をノズルの外径と等しいか僅かに大きくすることでノズル挿入時の操作が容易に行えるようになる。加えて、弾性部材の貫通孔内に段部を設け、この段部にノズルを当接させることでノズルに液密に固定させるので、簡単な構造で液漏れを防止することができる。
【００２４】
また、スライダーの一端部に少なくとも２つの係止爪を設け、一対の透析用カプラを対向させてこの係止爪同士を噛合させれば、カプラ洗浄時において連結棒などの特別な部材を用いることなく、かつ、ノズルに接触する可能性のある弾性部材のほぼ全てを洗浄液の流路上に位置させた状態で洗浄を行うことができるので、洗浄工程におけるデッドスペースがなくなり、ノズルに接触する部分の洗浄を確実に行えるため、カプラの無菌状態を維持することができる。
【００２５】
また、弾性部材のノズル挿入側の端部にフランジを設ければ、一対の透析用カプラを連結して洗浄する際に、このフランジ部分同士が当接するため、当接面の面積を広くすることができ液漏れ等の心配がなくなる。
【発明を実施するための最良の形態】
【００２６】
以下、図面を参照して本発明の最良の実施形態を説明する。但し、以下に示す実施形態は、本発明の技術思想を具体化するための透析用カプラを例示するものであって、本発明をこれらに特定することを意図するものではなく、特許請求の範囲に含まれるその他の実施形態のものも等しく適応し得るものである。
【実施例１】
【００２７】
図１は本発明の一実施例に係る透析用カプラの概観斜視図、図２は図１の透析用カプラの断面図、図３は図２の透析用カプラをノズルに差し込んだ状態を示す断面図、図４は図３の透析用カプラをノズルに固定した状態を示す断面図、図５は図１の透析用カプラ同士を連結した状態を示す概観斜視図、図６は図５に示す一対の透析用カプラの断面図である。
【００２８】
本発明の透析用カプラ１は、図１及び図２に示すように、中央部に貫通孔を備える円筒状のカプラ本体１０と、カプラ本体１０の透析器の透析液給排水用のノズル２挿入側の一端部の貫通孔内に取り付けられる弾性部材３０と、カプラ本体１０のノズル２挿入側の端部近傍の外周面を被覆するようにカプラ本体１０に取り付けられたスライダー４０と、から構成されている。
【００２９】
カプラ本体１０は、円筒状部材からなりその一端部である弾性部材挿入端部１２ａに弾性部材３０が取り付けられるノズル連結管１１と、一方の端部２２ａがノズル連結管１１に接続されるノズル連結管接続部を構成し他方の端部２２ｂが図示しない透析液作成供給装置に連結されているホース３に接続されるホース接続部を構成し筒状体からなるとともにその中間部が略Ｌ字状に屈曲したホース連結管２１と、から構成されている。
【００３０】
ノズル連結管１１は、円筒状の弾性を備える樹脂材から形成され、中央部に形成された貫通孔１３はその中間部付近の位置に段部１３ａが設けられ、段部１３ａを境に弾性部材挿入端部１２ａ側はその内径が大きく、ホース連結管接続部１２ｂ側はその内径が比較的小さくなっている。そして、ノズル連結管１１の弾性部材挿入端部１２ａは、円心方向へ弾性可動できる押圧片１４から構成されており、この押圧片１４の先端部の内側には、ノズル２のくびれ部２ｂの深さとほぼ等しい距離円心方向に突出した突起１５が設けられている。この押圧片１４としては、例えばノズル連結管１１の円周方向に所定間隔で設けられた切り欠きにより分割された複数本の桿状部材によって構成されている。また、ホース連結管接続部１２ｂはその内面に雌ネジ加工が施されている。なお、図２中の符号１７は、後述するスライダー４０の抜けを防止する抜け止め部である。
【００３１】
ホース連結管２１は、その中心部にホース３の内径より若干小さな内径からなる貫通孔２３を備え、ノズル連結管接続部２２ａの外径はノズル連結管１１のホース連結管接続部１２ｂの内径とほぼ等しく、その外周面には雄ネジが刻設されている。加えて、この雄ネジが刻設されたノズル連結管接続部２２ａの中心部は所定長さ突出しており、この突出部分２４が後述する弾性部材３０のホース連通端部３１ｂ内に圧入される。また、ホース接続部２２ｂの外径はホース３の外径とほぼ同じが僅かに大きな径を備え、このホース接続部２２ｂの外周部を覆うようにホース３が圧入されている。
【００３２】
弾性部材３０は、ノズル連結管１１の弾性部材挿入端部１２ａ側の内径とほぼ等しい外径を備えた中心部に貫通孔３４を備える筒状体であって、その一端部は軸心方向に直交する方向に延びるフランジ３２が形成されたノズル接続部３１ａを構成し、他端部はノズル連結管１１の形状に合わせて縮径されているとともに前記ホース連結管２１の突出部分２４が圧入されるホース連通端部３１ｂを構成している。また、貫通孔３４の長手方向中間部には段部３３が設けられており、この段部３３はノズル２が挿入された状態でこのノズル２の開口端部２ａに液密に圧接するシール部となる。なおこの弾性部材３０は、例えばシリコンゴム等のゴム材から構成されると好ましい。
【００３３】
スライダー４０は、ノズル連結管１１の弾性部材挿入端部周辺の外周縁部を覆うように設けられた、ノズル連結管１１の長手方向の長さのほぼ半分の長さを備える筒状体からなる。このスライダー４０の外周縁には、ユーザの指が掛かりやすいようにリング状の突起４１、４１が設けられている。また、このスライダー４０のノズル２挿入端部側に位置する端部の内部には押圧片１４に当接してこの押圧片１４を円心方向に移動させる突条４２が設けられている。
【００３４】
また、ノズル連結管１１の長手方向中間部付近の外周縁部には、外方に向かって隆起した係止突起１６が形成され、スライダー４０とノズル連結管１１との間にはノズル連結管１１を覆うようにバネ体５０が設けられているとともに、その両端部が係止突起１６とスライダー４０の突条４２とに付勢されることでスライダー４０をノズル挿入端部方向に付勢するようになっている。
【００３５】
加えて、スライダー４０のノズル挿入端部方向の一端部には、軸心方向に向かって突出するとともに、この突出部が円周方向に湾曲されて鉤状となっている係止爪４５ａ、４５ｂが、スライダー４０の軸心に対して点対称に２つ設けられている。この係止爪４５ａ、４５ｂは、スライダー４０を抜け止め部材１７に当接させた状態で、この透析用カプラ１の最も前方に突出している。また、この係止爪４５ａ、４５ｂの鉤状に湾曲した先端部に隣接する端部には切り欠き４６ａ、４６ｂが設けられている。
【００３６】
上記構成を備える透析用カプラ１をノズル２に装着する際の手順を以下に図３及び図４を参照して説明する。
先ず、図３に示すように、スライダー４０を係止突起１６が設けられた方向にバネ体５０の付勢力に抗して引っ張る。そしてこの状態で弾性部材３０の貫通孔３４内にノズル２をその先端部２ａから挿入する。このとき、弾性部材３０の内径はノズル２の外径と同一か僅かに大きいので、摩擦力はほとんど発生することなく、容易に挿入できる。この挿入により、ノズル２の先端部２ａが弾性部材３０の段部３３に当接すると、引っ張った状態で維持していたスライダー４０を元に戻す。すると、スライダー４０の突条４２がバネ体５０の付勢力によって押圧片１４に接触し、押圧片１４を円心方向へ押込みながら前方へ移動する。これにより、図４に示すように、押圧片１４の先端部に形成された突起１５が弾性部材３０を押圧し、弾性部材３０の前記押圧された部分が貫通孔３４内部へ向かって隆起した状態となる。この隆起した部分は、ノズル２の先端部２ａが段部３３に当接された状態においてくびれ部２ｂに対応するようになっており、隆起した弾性部材３０により、くびれ部２ｂが固定され、ノズル２への透析用カプラ１の取付けが行われる。
【００３７】
上で述べたように、本発明の透析用カプラ１はノズル２に取り付ける段階で捩じ込む必要がなく、また、接続部分のシール構造は弾性部材３０の段部３３にノズル２の先端部２ａが圧接されることでなるので、液密に透析用カプラ１とノズル２とを固定することができる。
【００３８】
次に、この透析用カプラ１を透析器から取り外し、洗浄等を行う場合における態様を図５及び図６を参照して説明する。透析器に接続されるカプラは、通常透析液供給用のものと透析液排出用のものの２つが存在するので、洗浄等を行う際にはこの一対の透析用カプラ同士を接続することでカプラ内に洗浄液の流路を形成するようになっている。
【００３９】
上記透析用カプラ１同士を接続する場合においても、図５に示すように、そのノズル挿入端部同士を対向させ接触させることで行われる。なお、以下の説明においては、同一構造からなる一対の透析用カプラを、それぞれ一方の透析用カプラ１Ａ及び他方の透析用カプラ１Ｂと区別して説明する。ただし、その構成については同一であるので、各構成部品に付される符号は同一のものとし、特に説明上必要な場合のみ異なる符合を付すものとする。
【００４０】
一対の透析用カプラ１Ａ、１Ｂを連結する際には、互いのスライダー４０、４０がノズル挿入端部方向に位置している状態で、互いの弾性部材３０のフランジ３２、３２同士を圧接するように押し付ける。このとき一方の透析用カプラ１Ａの係止爪４５ａ、４５ｂは他方の透析用カプラ１Ｂの切り欠き４６ａ'、４６ｂ'に噛み合うようにし、同じく他方の透析用カプラ１Ｂの係止爪４５ａ'、４５ｂ'は一方の透析用カプラ１Ａの切り欠き４６ａ、４６ｂに噛み合うように押し付ける。このように押し付けた状態で、互いの係止爪４５ａ、４５ｂ及び４５ａ'、４５ｂ'の鉤状部が噛合するように、時計方向あるいは反時計方向に回転させて噛合させる。
【００４１】
このように連結することで、連結部分は弾性部材３０のフランジ３２同士が圧接されるため、液漏れが生じることはない。また、スライダー４０に係止爪４５ａ、４５ｂ及び４５ａ'、４５ｂ'を設けるのみで、連結棒等の連結手段を別途必要とすることがない。
【００４２】
さらに、連結棒等を用いることなく、弾性部材３０の端部同士を圧接することで両透析用カプラ１Ａ、１Ｂを接続するので、洗浄液の流路は弾性部材３０の貫通孔３４全面に亘り、以ってノズル２に接触する部分が全て洗浄液の流路上に位置することとなるので、ノズル２への透析用カプラ１装着時にノズル２に弾性部材３０が接触してもノズル２に細菌等が付着する恐れがない。また、弾性部材３０の段部３３付近の隅部は、図からも分かるように全て面取りが施されているので、洗浄液によりこの隅部も良好に洗浄され、細菌等が繁殖する心配がない。
【図面の簡単な説明】
【００４３】
【図１】図１は本発明の一実施例に係る透析用カプラの概観斜視図である。
【図２】図２は図１の透析用カプラの断面図である。
【図３】図３は図２の透析用カプラをノズルに差し込んだ状態を示す断面図である。
【図４】図４は図３の透析用カプラをノズルに固定した状態を示す断面図である。
【図５】図５は図１の透析用カプラ同士を連結した状態を示す概観斜視図である。
【図６】図６は図５に示す一対の透析用カプラの断面図である。
【図７】図７は従来の透析器接続用カプラーが透析液用プラグに連結された状態を示す断面図である。
【図８】図８は従来の透析用カプラーであって、図８Ａは一対のカプラーを示す正面図、図８Ｂは一対のカプラーを連結具により連結した状態を示す正面図である。
【符号の説明】
【００４４】
１、１Ａ、１Ｂ  透析用カプラ
２              ノズル
３              ホース
１０            カプラ本体
１１            ノズル連結管
１２ａ          弾性部材挿入端部
１２ｂ          ホース連結管接続部
１３            貫通孔
１４            押圧片
１５            突起
１６            係止突起
１７            抜け止め部
２１            ホース連結管
２２ａ          ノズル連結管接続部
２２ｂ          ホース接続部
２３            貫通孔
２４            突出部分
３０            弾性部材
３１ａ          ノズル接続部
３１ｂ          ホース連通端部
３２            フランジ
３３            段部
３４            貫通孔
４０            スライダー
４１            突起
４２            突条
４５ａ、４５ｂ  係止爪
４６ａ、４６ｂ  切り欠き
５０            バネ体
【図１】
2007151628.tif 000003
【図２】
2007151628.tif 000004
【図３】
2007151628.tif 000005
【図４】
2007151628.tif 000006
【図５】
2007151628.tif 000007
【図６】
2007151628.tif 000008
【図７】
2007151628.tif 000009
【図８】
2007151628.tif 000010